(57)【要約】【課題】  メンテナンスが極めて容易で、実用的な壁面緑化システムを提供する。【解決手段】  少なくとも根が存在する部分を断熱材で覆い、開口部を屋根状部材で覆うことによりほぼ密閉された状態のプランター２を、建築物屋上の壁面側に端に設置し、下垂性の植物１を植栽する。植物１は屋根状部材の空隙８から茎葉部を伸ばすようにすることで根の部分を外部の温度変化の影響や日照から隔離し、茎葉部には十分な日照を確保できる。またプランター２を密閉することにより、乾燥、降雨などの管理不可能な水や雑草の種の侵入を防ぐことができ、メンテナンスフリーの状態に近づけることができる。【選択図】図１
2013244015.tif 000002
【特許請求の範囲】
【請求項１】
建築物の壁面の上部に少なくとも１箇のプランターを取り付け、前記プランターに植栽した植物により前記壁面を覆う壁面緑化システムにおいて、前記プランターの開口部は屋根状部材によってほぼ密閉され、前記屋根状部材と前記プランターの間には、前記植物が外部に伸長するための隙間を有することを特徴とする壁面緑化システム。
【請求項２】
前記プランターの少なくとも前記植物の根が収納された部分は断熱材によって覆われてなることを特徴とする、請求項１に記載の壁面緑化システム。
【請求項３】
前記屋根状部材は、２枚の板状部材を有し、少なくとも一方の板状部材には屈曲部が形成され、他方の板状部材を覆うように形成された重なり部を有し、前記重なり部の２枚の板状部材の間には、前記植物が伸長するための空隙が形成されてなることを特徴とする、請求項１または請求項２に記載の壁面緑化システム。
【請求項４】
前記プランターに供給される水には、水溶性の肥料が溶解されていることを特徴とする、請求項１ないし請求項３のいずれかに記載の壁面緑化システム。
【請求項５】
前記プランターは、底面給水型プランターであることを特徴とする、請求項１ないし請求項４のいずれかに記載の壁面緑化システム。
【請求項６】
植栽に用いる植物が下垂性植物であることを特徴とする、請求項１ないし請求項５のいずれかに記載の緑化システム。
【発明の詳細な説明】
【技術分野】
【０００１】  本発明は、壁面緑化システムに関わるもので、特に壁面上部にプランターを設置し、下垂性の植物を植栽する、壁面緑化システムに関わるものである。
【背景技術】
【０００２】  近年、ヒートアイランドと称される、都市部の気温が周辺に比較して高くなる現象が頻発し、東京のような大都市においては、冬日がほぼなくなるとともに、熱帯夜の数が急増している。この原因は多様で、高層ビルの林立による河川や海からの風の遮蔽、都市機能を維持するために消費されるエネルギーに起因する廃熱の他、植物により吸収される太陽光の減少など枚挙に暇がないのが現状である。【０００３】  この現象を緩和するのに有効な手段として、建築物の屋上や壁面の緑化が考えられ、屋上に植栽を施すことが一部で実施され、一定の効果を上げている。一方で壁面緑化については、対象となる面積が屋上よりも広いにも関わらず、殆ど実施されていない。【０００４】  これは、多くの建築物の壁面には、窓が設けられている他、植栽のためのプランターの設置場所の確保が、屋上の場合に比較すると困難であること、それに付随する問題として、給水の困難性がある。これに対処する手段の一つとして、特許文献１には、緑化対象の壁面を構成する表板と、表板と平行に配された裏板との間に保水基盤を設け、それに適した給水機構を併設した壁面緑化装置が開示されている。しかしながら、壁面を緑化するには、特許文献１に開示されている事項以外に、次のような解決すべき課題がある。【０００５】  第一に、植栽を行うためのプランターの設置の問題がある。つまり、土壌を充填したプランターは、かなりの重量となり、さらに灌水を行うと、重量が増加し、既存の建築物の壁面に直接設置するには、壁面の構造をそれに適したものにする必要がある。プランターの設置機構に十分な強度を付与するために、鋼材を用いると、盛夏期に高温になり、熱伝導による植物への影響が看過できない状態となる。【０００６】  第二に、水と肥料の供給量を適正に管理するのが困難となる場合が想定されるという問題がある。つまり設置場所の関係で、肥料を水溶液の形態で、必要量の水と一緒に供給する必要があるが、水分の蒸発により肥料の濃度が過度に高くなり、肥料の濃度障害を生じることがある。前記の特許文献１には、この対策が必ずしも十分には開示されていない。また、雨水などがプランターに入ると、灌水量の管理ができなくなるという問題がある。【０００７】  第三に、雑草の除去の問題がある。つまり、壁面にプランターを設置するので、除草などのメンテナンス作業が、屋上や地上の植栽のようには容易ではない。【０００８】  第四に、日照の問題がある。一般的に植物の生育には。茎葉部に十分な日照が必要であるが、過度の日照によるプランター全体の昇温は乾燥に繋がり、根茎にダメージを与え、さらに毛細根が直射日光を受けると、大きなダメージを受ける。その他に、伸びる方向や、生長に際しての他の物体の巻きつきなどの、特性を十分に考慮して、用いる植物の種類を適正に選択する必要がある。
【先行技術文献】
【特許文献】
【０００９】
【特許文献１】  特開２０１０−２３９８７８号公報
【発明の概要】
【発明が解決しようとする課題】
【００１０】  本発明の課題は、以上の考慮すべき事項や、環境改善への寄与が期待できることに鑑み、メンテナンスが極めて容易で、実用的な壁面緑化システムを提供することにある。
【課題を解決するための手段】
【００１１】  本発明は、前記課題解決のため、植栽の関わる設備の構造を全般的に見直した結果なされたものである。【００１２】  即ち、本発明は、建築物の壁面の上部に少なくとも１箇のプランターを取り付け、前記プランターに植栽した植物により前記壁面を覆う壁面緑化システムにおいて、前記プランターの開口部は屋根状部材によってほぼ密閉され、前記屋根状部材と前記プランターの間には、前記植物が外部に伸長するための隙間を有することを特徴とする壁面緑化システムである。【００１３】  また、本発明は、前記プランターの少なくとも前記植物の根が収納された部分が、断熱材によって覆われてなることを特徴とする、前記の壁面緑化システムである。【００１４】  また、本発明は、前記屋根状部材が、２枚の板状部材を有し、少なくとも一方の板状部材には屈曲部が形成され、他方の板状部材を覆うように形成された重なり部を有し、前記重なり部の２枚の板状部材の間には、前記植物が伸長するための空隙が形成されてなることを特徴とする、前記の壁面緑化システムである。【００１５】  また、本発明は、前記プランターに供給される水には、水溶性の肥料が溶解されていることを特徴とする前記の壁面緑化システムである。【００１６】  また、本発明は、前記プランターが、底面給水型プランターであることを特徴とする、前記の壁面緑化システムである。【００１７】  また、本発明は、植栽に用いる植物が下垂性植物であることを特徴とする、前記の緑化システムである。
【発明の効果】
【００１８】  本発明の壁面緑化システムにおいては、主に下垂性の植物を植栽したプランターを壁面の上部、例えば建築物の屋上の壁側の端に設置するので、壁面にプランターを設置するための特別な構造を付設する必要がなく、屋上などに一定の面積が確保できる建築物であれば、容易に壁面緑化を施すこと可能である。【００１９】  また、プランターの開口部を屋根上部材で覆うとともに、プランターの少なくとも根が存在する部分を断熱材で覆うことも可能なので、周囲の温度変化の影響が緩和され、熱による根へのダメージが極めて小さい。建築物の屋上などは、日照により温度が著しく上昇することがあるため、この特徴は、壁面緑化実用化に寄与するところが大きいと言える。【００２０】  しかも、プランターの開口部が、植物の茎を外部に伸長させるための空隙のみが確保された屋根状部材で覆われていて、プランターは殆ど密閉された状態で設置されているので、前記の温度管理に資する他、降雨による管理不可能な灌水がなく、野鳥の糞や雑草の種がプランターの土壌に入り込むことを実質的に皆無にすることができる。これは、プランターを高所に設置することによる、メンテナンスの困難性を解消することに繋がる特長である。【００２１】  また、プランターをほぼ密閉し、底面給水型プランターを用い、水溶性の肥料を溶解した水を供給することにより、プランターに、前記のように降雨による管理外の水が供給されたり、水の蒸発によって、肥料が濃縮されたりすることがなく、植栽の根は、必要とする量の水と肥料のみを吸い上げることになる。このことは前記の事象と併せて、プランター、ひいては、本発明の壁面緑化システムをメンテナンスフリーに近づけるために極めて有用である。
【図面の簡単な説明】
【００２２】
【図１】  本発明に係る壁面緑化システムの一例を模式的に示す図。
【図２】  本発明に係る壁面緑化システムの別の例を模式的に示す図。
【発明を実施するための形態】
【００２３】  次に、本発明の実施の形態について、図を参照しながら説明する。
【００２４】  図１は、本発明に係る壁面緑化システムの一例を模式的に示す図である。図１において、１は植物、２はプランター、３は土壌、４は給水容器、５は肥料を含む水、６はプランターを覆う断熱カバー、７ａはプランターの開口部を覆うための屋根状部材を構成する第一の板状部材、７ｂは同じく第二の板状部材、８は植物の茎を外部に伸長させるための空隙、９はプランターを壁面上部に設置するための設置用部材、１０は建築物の壁面である。
【００２５】  また、図２は、本発明に係る壁面緑化システムの別の例を模式的に示す図である。図２において、１１は植物、１２はプランター、１３は土壌、１４は給水容器、１５は肥料を含む水、１６は屋根状部材、１７は植物の茎を外部に伸長させるための空隙、１８はプランターを壁面上部に設置するための設置用部材、１９は建築物の壁面である。この例は、断熱材でプランター１２の根を収納する部分を覆っていないので、極端な昇温が起こらない場所に使用するものである。また、屋根状部材１６は、図１に示したものよりも簡略な構造としている。なお、図１と図２に示した屋根状部材は相互に互換性があることは勿論である。
【００２６】  図における植物１、１１としては、壁面緑化にはつる性植物を用いることができる。つる性植物は、他の植物などに巻き付いたり、壁面にくっついたりして伸長、登攀するので、支えとなるものがないと自立できず、ほかの植物に鬱閉されて枯死に至る。反面周囲に競合する植物があれば、覆いかぶさって日照を遮り、大木をも枯死させることがある。
【００２７】  しかし、このように厄介なつる性植物も、上方に伸長できないような環境を構築すると、新しい生活の場を求めて、ランナーと称される伸長茎を延ばし、直線的に伸長を続けることになる。この性質を壁面緑化に活用することができる。
【００２８】  具体的に前記のような性質を具備し、壁面緑化に活用できる植物の例としては、トラディスカンティア、ビンカミノール、リコンドラ、ハートカズラ、シュガーパイン、ヘンリーツタ、ハツユキカズラ、ロニセラ、グリンネクレス、ポトス、テラスライム、グレマコ、サンパラソルなどが挙げられるが、これらに限定されるものではない。
【００２９】  これらの植物を図１や図２に示したような状態で植栽することにより、植物が上方に成長できない環境を整えれば、植物は下垂性を示し、たとえばアサガオでは、１５ｍ〜２０ｍまでも伸長できる。
【００３０】  また、図１に示した例ではプランター２として底面給水型を用い、断熱カバー６で覆う。断熱カバー６としては、一般的な断熱建材のように、構造物として一定の強度を具備したものであれば、特に限定されるものではなく、ポリエステルなどの不織布を成形したもの、発泡スチロールを代表とする発泡材料などの成形体を用いることできる。また壁面緑化という目的のため、高所での一人作業が可能なように、プランターは土壌を充填した状態でも、軽量化したカートリッジ式にする必要がある。
【００３１】  水には適当な濃度で水溶性の肥料を溶解した水溶液を用いるが、供給装置や供給方法としては、既存のものを用いることができる。具体的は、点滴。チューブ送水、噴霧などの手段を、乾湿センサースイッチ、タイマースイッチなどの装置と併用して、給水量を管理することができる。
【００３２】  また、図１に示したように本発明においては、プランター２の開口部を、第一の板状部材７ａと第二の板状部材７ｂとで構成される屋根状部材で覆ことも可能である。これら二つの板状部材に柔軟性または可撓性を備えた材質を用い、二つの部材を接触した状態としても、植物が外部に伸長するための空隙８が確保できるので、断熱カバー６と屋根状部材を密着させ、プランター２を実質的に外部から隔離し密閉することができる。ただし、図２に示した屋根状部材でも同様の機能を発現できるのは、前記の通りである。
【００３３】  これにより、日照が不要で、極端な温度変化が障害となる根の部分と、成長のために日照が不可欠な茎葉の部分とを、環境的にまったく隔離することができる。また、密閉により、水の蒸発が抑制でき、前記の給水装置の作用と併せて、土壌３、１３を常時湿潤状態に維持できるので、乾燥した土壌が周囲に飛散することがない。
【００３４】  また、屋根状部材には、プランター側、つまり屋根状部材の中央側が低くなるような傾斜が形成されていないので、雑草の種や管理外の水が浸入することがなく、前記のようにメンテナンスフリーに近い状態を維持できる。
【００３５】  以上に説明したように、本発明の壁面緑化システムによれば、高層建築物の多い都市部の緑化面積を増加することができ、住環境や都市生活の快適性を向上することができる。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００３６】１，１１・・・植物    ２，１２・・・プランター    ３，１３・・・土壌
４，１４・・・給水容器    ５，１５・・・肥料を含む水    ６・・・断熱カバー
７ａ・・・第一の板状部材    ７ｂ・・・第二の板状部材    １６・・・屋根状部材
８，１７・・・空隙    ９，１８・・・設置用部材    １０，１９・・・建築物の壁面
【図１】
2013244015.tif 000003
【図２】
2013244015.tif 000004